(57)【要約】【課題】傘の吊り手を、傘収納時邪魔にならないようコンパクトに纏められるようにする。【解決手段】ループ状の吊り紐を有する柄において、ループ状の吊り紐を緩みなく巻き付けるため、柄の外周面を囲繞して、吊り紐の端部がそれぞれ挿通される一対の引出孔の一方から他の一方の引出孔に到る吊り紐収納溝を設ける。吊り紐収納溝は、柄の外周を、略2周、1.5周、1周または4分の3周する。柄は、円筒形のみでなく、角柱形や玉形、ひょうたん形など如何なる形状のものであっても良い。 【選択図】図１
2005177189.tif 000002
【特許請求の範囲】
【請求項１】
ループ状の吊り紐(2)を有する傘において、
吊り紐(2)を柄(1)に緩みなく巻き込むため、その柄(1)の外周面を囲繞して、吊り紐(2)の端部がそれぞれ挿通される一対の引出孔(12)の一方から他の一方の引出孔(12)に到る吊り紐収納溝(11)を設け、ループを形成する吊り紐(2)の長さを、吊り紐収納溝(11)の長さと同じか又はやや短くしたことを特徴とする上記の傘。
【請求項２】
吊り紐(2)が断面円形の丸紐であり、吊り紐収納溝(11)の横断面が、吊り紐(2)の断面の略2分の1を受け入れる半円状である、請求項1に記載の傘。
【請求項３】
吊り紐(2)が帯状であり、吊り紐収納溝(11)の横断面が、吊り紐(2)の厚みの略2分の1を受け入れる浅い溝である、請求項1に記載の傘。
【請求項４】
吊り紐収納溝(11)が、柄(1)の周囲を略2周するように設けられた請求項1ないし3の何れか1に記載の傘。
【請求項５】
吊り紐収納溝(11)が、柄(1)の周囲を略1.5周するように設けられた請求項1ないし3の何れか1に記載の傘。
【請求項６】
吊り紐収納溝(11)が、柄(1)の周囲の1周以下の範囲に設けられた請求項1ないし3の何れか1に記載の傘。
【請求項７】
柄(1)の周囲を1周以上周回するように設けられた吊り紐収納溝(11)の各段の周回路が、互いに平行に密着して、かつそれぞれ柄(1)の中心軸に直角な平面上に設けられており、吊り紐引出孔の近辺に、一つの周回路から他の一つの周回路に吊り紐を導く傾斜連絡路(112)が設けられた、請求項4又は5に記載の柄(1)。
【請求項８】
柄(1)の周囲を1周以上周回するように設けられた吊り紐収納溝(11)の各段の周回路の間に、リテーナー(11b)が設けられている、請求項7に記載の柄(1)。
【請求項９】
吊り紐収納溝(11)内に収納された吊り紐(2)を容易に取り外すため、柄(1)の周囲を周回する吊り紐収納溝(11)に臨んで指掛け用欠所(13)を設けたことを特徴とする請求項1ないし8の何れか1に記載の傘。
【請求項１０】
指掛け用欠所(13)が傾斜連絡路(112)に臨んで設けられた、請求項9に記載の傘。
【請求項１１】
吊り紐(2)が、引出し用タグを有する請求項1ないし10のいずれか1に記載の傘。
【請求項１２】
柄(1)が円柱形である、請求項1ないし11のいずれか1に記載の傘。
【請求項１３】
柄(1)が多角柱形である、請求項1ないし11のいずれか1に記載の傘。
【発明の詳細な説明】
【技術分野】
【０００１】
本発明は、吊り紐を有する傘、特に鞄やハンドバッグ、ポケット等に収納するとき吊り紐がその外面にコンパクトに巻き付けられ、邪魔にならないよう構成した新規な柄を具備した傘に関する。
【背景技術】
【０００２】
柔軟で多少の弾力性を有する吊り紐を有する傘の柄は、例えばUSP4,616,868号明細書などで公知であり、折畳式その他各種の傘用の柄として広く用いられている。
ここで、柄と言うときは、傘軸の一端に取り付けられる把手、ハンドル、手許などと呼ばれる部品を指すものとする。
この傘の柄に取り付けられる吊り紐は、傘を手に持って携行する際には便利であるが、鞄やハンドバッグ等に収納するときには、他の収納物に絡まったりするため、傘自体や他の物品を取り出す際、邪魔になると言う問題があった。
【０００３】
上記のため、柄に設けた吊り金具やストラップを、柄の側面に固定し得るようにすると言う提案がなされている。
【０００４】
【特許文献１】昭和57年実用新案公報第07287号
【特許文献２】昭和57年実用新案公報第13864号
【０００５】
前者に開示された技術は、針金製の枠状の吊り金具を、柄の端部に傘軸を含む平面内で回動可能に取り付け、この吊り金具を柄の長手方向に沿わせて固定する収納状態と、収納状態から解放され傘を吊り下げ携行し得る自由状態とに保持できるようにし、収納状態では柄の側面に設けた収納溝内に収められるようにしたものである。
然しながら、この吊り金具は特殊形状の針金製フレーム構造のものであるため、使い勝手が悪く、簡単に変形する上、一旦変形すると元の形に戻す事が困難であり、吊り金具を収納するため設けた溝に入らなくなると言う問題があって、広く実用化されることはなかった。
又、この方式は、断面が長方形の角柱型以外の傘柄に適用することが難しく、特に折畳傘に多用される短い円柱状等の柄には適用できないと言う問題もあった。
【０００６】
後者に記載された考案は、柄の側面に長手方向に溝を設け、その溝に嵌まり込むベルト又は紐からなるストリップの一端を溝の下端に留め、他の一端を溝の上端に設けた留め具に着脱自在に掛け留め得るようにするものである。
このものは、吊り具が短いベルト又は紐からなるストラップであり、手に持ち難い上、折畳傘用の極く短い柄には適していないと言う問題がある。
【発明の開示】
【発明が解決しようとする課題】
【０００７】
本願発明の意図するところは、折畳傘などの短い円柱状又は角柱状の柄にも好適に適用でき、又、吊り紐がループ状となっているので、持ち運びやフックなどに吊り下げるのに便利なばかりでなく、鞄、ハンドバッグ、ポケットなどに収納する際、吊り紐が邪魔にならない便利な吊り紐付きの傘を提供することにある。
尚、本発明は、傘の柄と吊り紐のみに関わるものであり、かつ、上記のような柄と吊り紐を備えるものである限り、如何なる傘にも適用できるものであるから、本明細書では専ら、柄と吊り紐部分のみについて説明することとし、他の部分の説明は省略する。
【課題を解決するための手段】
【０００８】
叙上の意図を成就するため、本願発明においては、ループ状の吊り紐を有する傘において、
吊り紐を緩みなく巻き込むため、柄の外周面を囲繞して、柄の側面に設けた一対の吊り紐引出孔の一方から他の一方の吊り紐引出孔に到る吊り紐収納溝を設けると共に、吊り紐の長さを、吊り紐収納溝の長さと同等か、若干短くし、吊り紐を若干引き伸ばしながら柄に巻きつけ、吊り紐収納溝内に収納されるようにする。
吊り紐を吊り紐収納溝の長さより短くする場合、短縮率は、材質にもよるが、数％程度、最大5％程度とすれば充分である。
【０００９】
望ましい実施例においては、吊り紐は断面円形の丸紐であり、吊り紐収納溝の横断面形状には、少なくとも吊り紐の断面直径の略10分の1以上、断面直径以下、望ましくは略3分の1以上、3分の2以下、更に望ましくは略2分の1程度を受け入れ得る深さと、吊り紐の直径若しくは吊り紐の溝に収容される部分の最大横幅と等しい横幅を与える。
吊り紐収納溝の長さは、傘のデザイン全体を考慮して、柄の外周1周以下から、略1周、略1.5周若しくは略2周する長さとすることが推奨される。
【００１０】
吊り紐収納溝を、柄を1周以上周回するように設ける場合には、各段の周回路を、それぞれ柄の中心軸に直角な平面上に、互いに平行に密着して設け、更に吊り紐引出孔の近辺に、一つの周回路から他の一つの周回路に吊り紐を導く傾斜連絡路を設ける。
この場合、吊り紐収納溝の各段の周回路の間に、リテーナー若しくは分離壁を設け、各段の収納溝の吊り紐を分離することが望ましい。
【００１１】
吊り紐収納溝内に収納した吊り紐を指先で取り外すのを容易にするため、柄を周回する吊り紐収納溝に臨んで指掛け用欠所を設けることが推奨される。
この指掛け用欠所は上記の傾斜連絡路があるときはそれに臨んで設けることが望ましい。
又、この欠所に代えて、吊り紐の適所に引出し用のタグ又はつまみを設けておき、これを指でつまんで引き、吊り紐をその収納溝から引き出すよう構成することも推奨される。
【００１２】
本発明は、如何なる形状の柄、即ち、折畳傘に多用されている短い円柱形の外、方形柱状、矩形柱状、六角柱状、八角柱状等や、全体形状が玉形、ひょうたん形、平板形などの傘柄を有する傘にも適用し得るものである。又、傘の形態、即ち、折畳傘、長傘、ジャンプ傘等の如何は問わない。
【００１３】
又、吊り紐自体としては、革紐、合成樹脂製又はゴム製の紐、天然又は合成の繊維から成る編み紐、組み紐、金属製のコイルスプリング及びこれらの組合せから成る紐又はストラップが用いられる。
紐の形状としては、断面円形の丸紐の外、角紐や平たい帯状体又はストラップなども使用可能である。要するに、本発明で用いる吊り紐は、一定の可撓性と伸縮性、耐久性、審美性、好ましい風合いを備えた細長いものであれば良い。
【発明の効果】
【００１４】
本発明は叙上の如く構成されるから、本発明によるときは傘に設ける吊り紐を柄にコンパクトに巻き付けることができ、鞄やハンドバッグ、ポケット等に収納する際、他の収納物に吊り紐が絡んだりすることがなくなる。
【発明を実施するための最良の形態】
【００１５】
図1ないし図4は、吊り紐を柄に二重に巻きつける構成の本発明の第1実施例を示す図であり、
図1は、傘を吊り下げるため吊り紐を吊り紐収納溝から解放した状態を示す正面図、
図2は、吊り紐を吊り紐収納溝内に巻き込んで固定した状態を示す正面図、
図3は、図2に示した状態の背面の状態を示す背面図、
図4は、図1に示した状態を示す斜視図、
図5ないし図7は、吊り紐を柄に1.5周巻き付ける構成の第2実施例を示す斜視図であり、
図5は、傘を吊り下げるため吊り紐を吊り紐収納溝から解放した状態を示す斜視図
図6は、柄の構成を示す斜視図、
図7は、吊り紐を吊り紐収納溝内に巻き込んで固定した状態を示す斜視図、
図8ないし図10は、吊り紐を柄に略1周巻き付ける構成の第3実施例を示す斜視図であり、
図8は、傘を吊り下げるため吊り紐を吊り紐収納溝から解放した状態を示す斜視図
図9は、吊り紐を吊り紐収納溝内に巻き込んで固定した状態を示す斜視図、
図10は、図9に示した状態を図9とは反対側から見た状態を示す斜視図、
図11及び図12は矩形柱状の柄に、略1周にわたって吊り紐収納溝を設ける構成の第4実施例を示す説明図であり、
図11は、吊り紐の取り付け方法及び吊り紐収納溝の構成を示す斜視図、
図12は、傘を吊るすため、吊り紐をその収納溝から解放した状態を示す斜視図、
図13及び図14は矩形柱状の柄に、略4分の3周にわたって吊り紐収納溝を設ける構成の第5実施例を示す説明図であり、
図13は、吊り紐の取り付け方法及び吊り紐収納溝の構成を示す斜視図、
図14は、傘を吊るすため、吊り紐をその収納溝から解放した状態を示す斜視図、
図15ないし17は、上記第1実施例製品の写真であり、
図15は、上記図1に対応する写真、
図16は、上記図2に対応する写真、
図17は、上記図3に対応する写真である。
尚、前述の通り、これらの図面には本願発明とは直接の関係がない傘全体の構成は示されておらず、柄、吊り紐及び傘軸の一部のみが示されている。
【実施例１】
【００１６】
図1ないし図4において、1は柄、2は吊り紐、3は傘軸の一部である。
柄1はキャップ100を有し、これにより柄1の内部空間101が画成される。
吊り紐2はループ20を形成しており、その引出孔12、12aは互いに近接した位置にあり、吊り紐2は柄1に巻き付けられたときその外周を略2周するようになる。
傘の全体は示されていないが、傘は如何なる形の傘でも良く、例えば折畳傘であっても、長傘であっても、自動開閉傘でも、又、ジャンプ傘、手動開閉傘であっても、本発明は何ら支障なく適用できるものである。
【００１７】
この実施例において、柄1は短い円柱形であり、その側面10には吊り紐収納溝11、11aが設けられており、吊り紐収納溝11、11a の間には低い隆起部からなるリテーナー11bが形成されており、又これらの溝11、11aは、傾斜連絡溝112によって連結され、柄1の外周を略2周にわたって囲繞している。
この傾斜連絡溝112は、吊り紐収納溝11に向かって張り出している陸部分113と、吊り紐2の傘柄からの引出部に依って形成されている。
又、この傾斜連絡溝112に臨んで、指掛け用の欠所13が設けられる。
【００１８】
吊り紐2はループ20を形成しており、その端部21及び21aは、吊り紐収納溝11、11aの終端部に設けられた引出孔12、12aから引き出されている。柄1の内部では、破線で示されているように、これらの端部21及び21aには抜止金具22及び22aが取り付けられている。
【００１９】
吊り紐2を柄1に巻き付けるときは、スターティングポイント111から順次手指により吊り紐収納溝11に嵌め込み柄1に巻き付ける。吊り紐2は、柄1の外周を略1周した後、傾斜連絡溝112を経て、吊り紐収納溝11aに導かれ、その内部に嵌め込まれ、結局、柄1を略2周し、吊り紐収納溝11及び11aの内部に収納される。
【００２０】
このとき吊り紐2は多少引き伸ばされ、その弾性力により柄1に強く巻き付き、吊り紐収納溝11及び11aの内部にコンパクトにかつ確実に収納されるので、バッグやポケットに入れても吊り紐が邪魔になることはない。
而して、吊り紐2を解放し、吊り手として用いるときは、指掛け用の欠所13を利用して吊り紐2を取り外せば良い。
又、図示されていないが、指掛け用の欠所13に代えて、吊り紐2の適所、例えば中央部等に引出し用のタグ又は引き手を取り付けおくことも推奨される。
【００２１】
図2及び図3から知られるように、この第１実施例では、吊り紐収納溝11及び11aは、吊り紐2の約半分を収納するように、それらの深さは吊り紐2の半径に略等しくされ、又溝の形状は略半円とされている。
然しながら、この溝の深さ及び形状はこの実施例に限定されるものでなく、より深くしても浅くしても良いものである。
【００２２】
図5ないし図7は、吊り紐を柄に1.5周巻き付ける構成の第2実施例を示す斜視図であり、
図5は、傘を吊り下げるため吊り紐を吊り紐収納溝から解放した状態を示す斜視図
図6は、図5に示した柄のみの構成を示す斜視図、
図7は、吊り紐を吊り紐収納溝内に巻き込んで固定した状態を示す斜視図である。
これらに図に示す第2実施例では、吊り紐2の引出孔12、12aは、柄1の一直径D上の対極に設けられており、このため、吊り紐2は柄1の外周を略1.5周するよう構成されている。
この第2実施例の構成、作用効果は、吊り紐2の引出孔12、12aの位置及び長さ以外の点では、前述の第１実施例のそれらと変ることがなく、図の符号も同じものが使用されているので、既に明らかであると思われるからその説明は省略する。
【００２３】
図8ないし図10は、吊り紐を柄に略1周巻き付ける構成の第3実施例を示す斜視図であり、
図8は、傘を吊り下げるため吊り紐を吊り紐収納溝から解放した状態を示す斜視図
図9は、吊り紐を吊り紐収納溝内に巻き込んで固定した状態を示す斜視図、
図10は、図9に示した状態を図9とは反対側から見た状態を示す斜視図である。
これらの図に示されている第3実施例は、吊り紐2を収納する吊り紐収納溝11が円筒状の柄1を略1周する例である。
この例では、吊り紐2が短く、図8に示されているように手指に掛けて携行するようになっている。
これらの図についても最早その作用効果を説明する必要はないであろう。
【００２４】
図11及び図12に示されているのはは形柱状の柄に、略1周にわたって吊り紐収納溝を設ける構成の第4実施例であり、
図11は、吊り紐の取り付け方法及び吊り紐収納溝の構成を示す斜視図、
図12は、傘を吊るすため、吊り紐をその収納溝から解放した状態を示す斜視図である。
この実施例は、柄1が箱型もしくは角柱状である点を除き、図8ないし図10に示した第3実施例と同様なものである。
図11に示されているように、吊り紐2は、図示されていない傘軸方向に設けた挿通孔を通って柄1の下方に挿通され、その端部21、21が、連結金具22により連結され、ループ20を形成する。
これらの図についても最早説明の要はないと思量する。
【００２５】
図13及び図14は矩形柱状の柄に、略4分の3周にわたって吊り紐収納溝を設ける構成の第5実施例を示す説明図であり、
図13は、吊り紐の取り付け方法及び吊り紐収納溝の構成を示す斜視図、
図14は、傘を吊るすため、吊り紐をその収納溝から解放した状態を示す斜視図である。
この実施例では、吊り紐2は、図示されていない傘軸方向に設けた挿通孔を通って柄1の下方に挿通され、その端部21、21に、それぞれ抜け止め金具22が取り付けられており、これにより柄1を介して吊り紐のループ20が形成される。
この実施例においては、吊り紐2の相通孔12は、柄の相対する長辺の端部分に設けられ、吊り紐収納溝は柄の外周の約4分の３程度の長さになっている。
これらの図についてもその構成及び作用効果は既に明らかであろう。
【産業上の利用可能性】
【００２６】
本願発明は今日大量に供給されている折畳傘などに好適に適用し得るものであり、これを実施すれば多大の利益がある。
【図面の簡単な説明】
【００２７】
【図１】吊り紐を柄に二重に巻きつける構成の本発明の第1実施例において、傘を吊り下げるため吊り紐を吊り紐収納溝から解放した状態を示す正面図である。
【図２】上記第1実施例において、吊り紐を吊り紐収納溝内に巻き込んで固定した状態を示す正面図である。
【図３】図2に示した状態の背面の状態を示す背面図である。
【図４】図3に示した状態を示す斜視図である。
【図５】吊り紐を柄に1.5周巻き付ける構成の第2実施例において、傘を吊り下げるため吊り紐を吊り紐収納溝から解放した状態を示す斜視図である。
【図６】上記第2実施例において、柄のみの構成を示す斜視図である。
【図７】上記第2実施例において、吊り紐を吊り紐収納溝内に巻き込んで固定した状態を示す斜視図である。
【図８】吊り紐を柄に略1周巻き付ける構成の第3実施例において、傘を吊り下げるため吊り紐を吊り紐収納溝から解放した状態を示す斜視図である。
【図９】上記第3実施例において、吊り紐を吊り紐収納溝内に巻き込んで固定した状態を示す斜視図である。
【図１０】図9に示した状態を図9とは反対側から見た状態を示す斜視図である。
【図１１】矩形柱状の柄に、略1周にわたって吊り紐収納溝を設ける構成の第4実施例において、吊り紐の取り付け方法及び吊り紐収納溝の構成を示す斜視図
【図１２】上記第4実施例において、傘を吊るすため、吊り紐をその収納溝から解放した状態を示す斜視図である。
【図１３】矩形柱状の柄に、略4分の3周にわたって吊り紐収納溝を設ける構成の第5実施例において、吊り紐の取り付け方法及び吊り紐収納溝の構成を示す斜視図である。
【図１４】上記第5実施例において、傘を吊るすため、吊り紐をその収納溝から解放した状態を示す斜視図である。
【図１５】上記第1実施例製品の図1に対応する写真である。
【図１６】上記第1実施例製品の図2に対応する写真である。
【図１７】上記第1実施例製品の図3に対応する写真である。
【符号の説明】
【００２８】
1      柄
10      側面
100      キャップ
101      内部空間
11b      リテーナー
11      吊り紐収納溝
11a      吊り紐収納溝
111      スターティングポイント
112      傾斜連絡溝
113      陸部分
12      引出孔
12a      引出孔
13      欠所
2      吊り紐
20      ループ
21      吊り紐の端部
21a      吊り紐の端部
22      連結又は抜止金具
3      傘軸
D      一直径
【図１】
2005177189.tif 000003
【図２】
2005177189.tif 000004
【図３】
2005177189.tif 000005
【図４】
2005177189.tif 000006
【図５】
2005177189.tif 000007
【図６】
2005177189.tif 000008
【図７】
2005177189.tif 000009
【図８】
2005177189.tif 000010
【図９】
2005177189.tif 000011
【図１０】
2005177189.tif 000012
【図１１】
2005177189.tif 000013
【図１２】
2005177189.tif 000014
【図１３】
2005177189.tif 000015
【図１４】
2005177189.tif 000016
【図１５】
2005177189.tif 000017
【図１６】
2005177189.tif 000018
【図１７】
2005177189.tif 000019